(57)【特許請求の範囲】
【請求項１】
光源と、透光性樹脂から形成され指示部と基部とを有する指針と、遮光性樹脂から形成される指針キャップとを備え、前記基部は前記光源からの光を前記指示部に入光させる入光部を有してその周辺が前記指針キャップに覆われてなると共に前記指針キャップの前面には当該指針キャップ内の光を透過することによって光輝する透光部を有する発光指針において、前記光源は、前記入光部に光を送る指示部用光源と、前記指針キャップの前記透光部に光を送る指針キャップ用光源とからなり、前記指針キャップの内部に前記入光部に前記指示部用光源からの光を導く第１の照明室と前記透光部に前記指針キャップ用光源からの光を導く第２の照明室とを仕切る遮光部材を設けたことを特徴とする発光指針。
【請求項２】
前記指示部用光源と前記指針キャップ用光源とが異なる発光色を有する請求項１記載の発光指針。
【発明の詳細な説明】
【技術分野】
【０００１】
本発明は、例えば車両に搭載される計器装置の発光指針に関し、特に光源からの光を受けて光輝する発光指針に関するものである。
【背景技術】
【０００２】
従来の発光指針は、特許文献１に記載されたものが知られている。この発光指針は、指針と指針キャップと、光源を備えており、光源の光を指針の受光部から受光し、反射面で反射させて指針全体を光輝させるものである。
【０００３】
また、指針キャップは透光性樹脂材料から形成され、指針基部を覆うように配置されてあり、指針を照明するのと同一の光源から出射される光を反射面を通して受けることで発光するようになっている。
【特許文献１】特開２０００−２２１０６０号公報
【発明の開示】
【発明が解決しようとする課題】
【０００４】
しかしながら、前記特許文献１における発光指針は、指針を照明する光源と同じ光源で指針キャップを照明しているので、見栄えが単純でデザイン性に欠けていた。そこで、指針キャップ用の専用光源を用いて指針キャップを照明する構造が考えられるが、指示部に向かう光と指針キャップに向かう光とが混じってしまうという問題がある。
【０００５】
そこで本発明はこの様な点に鑑みなされたもので、見栄えに優れ、デザイン性を向上させることが可能な発光指針を提供することを目的とする。
【課題を解決するための手段】
【０００６】
本発明は前記目的を達成するため、光源と、透光性樹脂から形成され指示部と基部とを有する指針と、遮光性樹脂から形成される指針キャップとを備え、前記基部は前記光源からの光を前記指示部に入光させる入光部を有してその周辺が前記指針キャップに覆われてなると共に前記指針キャップの前面には当該指針キャップ内の光を透過することによって光輝する透光部を有する発光指針において、前記光源は、前記入光部に光を送る指示部用光源と、前記指針キャップの前記透光部に光を送る指針キャップ用光源とからなり、前記指針キャップの内部に前記入光部に前記指示部用光源からの光を導く第１の照明室と前記透光部に前記指針キャップ用光源からの光を導く第２の照明室とを仕切る遮光部材を設けたものである。
【０００７】
また本発明は、前記指示部用光源と前記指針キャップ用光源とが異なる発光色を有するものである。
【発明の効果】
【０００８】
本発明によれば、見栄えに優れ、デザイン性を向上させることが可能な発光指針を得ることができる。
【図面の簡単な説明】
【０００９】
【図１】本発明の第１の実施形態を示す正面図（ａ）と断面図（ｂ）。
【図２】同実施形態における基部の周辺部を示す斜視図。
【図３】本発明の第２の実施形態を示す正面図（ａ）と断面図（ｂ）。
【発明を実施するための最良の形態】
【００１０】
本発明を車両用計器に搭載される発光指針に用いた第１の実施形態を図１及び図２に基づいて説明する。
【００１１】
図１において本実施形態による発光指針が搭載される車両用計器は、硬質な回路基板１と、この回路基板１の表面側に回路基板１と導通状態で装着され、指示部用導光体１２ａが挿入連結される回転筒２を有する計器本体３と、後述する発光指針５と、この発光指針５の背後に配置され後述する指示部４の指示対象となる表示部（図示せず）が施された表示板６と、この表示板６と回路基板１との間に配置され表示板６が保持されるケース体７と、光源１０から出射する光を指針５に導くための導光体１２を備えている。
【００１２】
計器本体３は、図１に示すように、回路基板１上に実装され、後述する指示部用導光体１２ａが連結される回転筒２が設けられている。この回転筒２は、計器本体３の図示しないコイル等の励磁手段によって回転可能に計器本体３に挿入され軸受けされている。
【００１３】
指示部用導光体１２ａは、後述する台座部材５６と一体形成され、その回路基板１側端部には、回路基板１上に配置された指示部用光源１０ａから出射した光が入光する第１の受光部１３が設けられ、一方、発光指針５側には、後述する第１の反射面２１が設けられている。
【００１４】
発光指針５は、透光性合成樹脂からなり長手方向に長く形成された指示部４と指示部４の回転中心端部に設けられる基部５１とでなる指針５０と、基部５１の周囲（表示板６側を除く周辺部）を覆う遮光性合成樹脂からなる指針キャップ５２を備えている。
【００１５】
指示部４は、その基部５１側端部に後述する第１の反射面２１からの光を入光させる入光部５１ａが形成されている。また、指示部４の裏面には例えば白色などの箔（図示せず）がホットスタンプされている。
【００１６】
指針キャップ５２は、表示板６側に開口するカップ形遮光性の合成樹脂であり、透光性合成樹脂で型抜きされた一対の透光部５５が設けられている。この透光部５５には、指針キャップ用導光体１２ｂによって導かれて指針キャップ５２に至った光が透過するように設けられている。
【００１７】
さらに指針キャップ５２の内部は、遮光部材５４によって入光部５１ａに後述する指示部用光源１０ａからの光を導く第１の照明室Ｒ１と、透光部５５に指針キャップ用光源１０ｂからの光を導く第２の照明室Ｒ２と仕切られている。
【００１８】
遮光部材５４は、遮光性合成樹脂からなり、図２に示すように、基部５１の入光部５１ａと指示部用導光体１２ａの周囲を覆うように中空円柱状のカバーとして形成されている。なお、遮光部材５４は、指針キャップ５２の内部を第１の照明室Ｒ１と第２の照明室Ｒ２とに仕切ることができれば、例えば長方形等、任意の状を適用できる。なお図２中、符号５６は、例えば透光性合成樹脂からなる台座部材であり、指針キャップ５２の開口部を塞ぐ大きさを有する。また遮光部材５４は、指示部４の底面及び側面を覆う指針カバー部５４ａを一体に有している。
【００１９】
表示板６は、例えば合成樹脂製の無色透明な基板の表面側に車両の速度を表す目盛，数字などの表示部（図示せず）を白色の着色透過層で印刷した後、表示部以外の地部となる箇所を黒色の遮光層で印刷したものである。
【００２０】
ケース体７は、遮光性のある例えば白色の合成樹脂からなり、図示しないが、底壁と、指針軸２の周囲に配置された指針キャップ用光源１０ｂを囲むように表示板６と回路基板１との間に配置された略円形の筒部と、外周壁などを有している。
【００２１】
光源１０は、回路基板１上であって第１の受光部１３と対応する箇所に配置され、指示部４を照明するための指示部用光源１０ａと、指針キャップ５２の透光部５５を照明するための指針キャップ用光源１０ｂとからなる。
【００２２】
導光体１２は、無色透明な合成樹脂からなり、指示部用光源１０ａの光が入光する第１の受光部１３を備えた回転筒２でもある指示部用導光体１２ａと、指針キャップ用光源１０ｂの光が入光する第２の受光部１４を備えた指針キャップ用導光体１２ｂとからなる。
【００２３】
指示部用導光体１２ａは、基部５１と対向する端部に指示部用導光体１２ａに入光した光を指示部４側に反射させる第１の反射面２１を有している。なお、指示部４と基部５１は別体であっても良い。
【００２４】
指針キャップ用導光体１２ｂは、断面が略Ｌ字形状で回転筒２を囲むようにケース体７の内側に配置してあり、入光部１４から入光した指針キャップ用光源１０ｂの光を回転筒２側と指針キャップ５２側の各方向へ反射させるための第２の反射面２２と第３の反射面２３が形成されている。
【００２５】
そして、例えば白色で発光する指示部用光源１０ａを点灯させることにより、指示部用導光体１２ａ内に入射した光はほぼ４５度の傾斜した平面で形成されて第１の反射面２１で反射して指示部４側に向かい指示部４を照明する。
【００２６】
また、指針キャップ用光源１０ｂを点灯させることにより、指針キャップ用導光体１２ｂ内に入射した光は第２の反射面２１で第３の反射面２３方向に反射され、さらにその光が第３の反射面２３で反射して基部５１の裏面側に向かう。
【００２７】
この様に構成した発光指針５において、例えば白色で発光する指示部用光源１０ａを点灯させることにより、第１の受光部１３から入射した光は、指示部用導光体１２ａ内で乱反射しながら第１の反射面２１へ向かい、第１の反射面２１で指示部４側に反射された光が指示部４の裏面に設けられた白色の箔に反射して指示部４が白色で光輝するようになっている。
【００２８】
また例えば赤色で発光する指針キャップ用光源１０ｂを点灯させることにより、第２の受光部１４から入射した光は、指針キャップ用導光体１２ｂ内で乱反射しながら第２の反射面２２へ向かい第２の反射面２２で第３の反射面２３側へ反射される。更に第３の反射面２３で反射された光は基部５１側に入射し、指針キャップ５２に設けられた透光部５５を光輝するようになっている。
【００２９】
また、指針キャップ５２の内部が遮光部材５４によって入光部５１ａに指示部用光源１０ａからの光を導く第１の照明室Ｒ１と、透光部５５に指針キャップ用光源１０ｂからの光を導く第２の照明室Ｒ２とに仕切られていることによって、指示部用光源１０ａの光と指針キャップ用光源１０ｂの光が指針キャップ５２内で混じらないように設けられている。
【００３０】
このように本実施形態は、光源１０ａ，１０ｂと、透光性樹脂から形成された指示部４と基部５１とを有する指針５０と、遮光性樹脂から形成される指針キャップ５２とを備え、基部５１は光源１０ａからの光を指示部に入光させる入光部５１ａを有してその周辺が指針キャップ５２に覆われてなると共に指針キャップ５２の前面には当該指針キャップ５２内に導かれた光を透過することによって光輝する透光部５５を有する発光指針５において、光源１０ａ，１０ｂは、入光部５１ａに光を送る指示部用光源１０ａと、指針キャップ５２の透光部５５に光を送る指針キャップ用光源１０ｂとからなり、指針キャップ５２の内部に入光部５１ａに指示部用光源１０ａからの光を導く第１の照明室Ｒ１と透光部５５に指針キャップ用光源１０ｂからの光を導く第２の照明室Ｒ２とを仕切る遮光部材５４を設けたことにより、指示部４と指針キャップ５２の透光部５５とを違う色の光源で発光させるにあたり、光源光の色が混じり合うことを防止でき、見栄えとデザイン性を向上させることができる。
【００３１】
次に、本発明の第２の実施形態を図３基づいて説明する。第１の実施形態と同じ箇所には同一の符号を付している。
【００３２】
本実施形態では、計器本体３は、回路基板１の裏面に実装され、回路基板１に設けられた貫通孔から回動軸Ｓが突出形成される。この回動軸Ｓの先端には、後述する指針５が挿入固定されている。
【００３３】
指示部用光源１０ａは、回路基板１ではなく、台座部材５６上に搭載されたフレキシブル基板や硬質回路基板に搭載され、指示部４の入光部１３と直接対向配置され、入光部１３に照明光を供給するようになっている。
【００３４】
従って本実施形態では前記第１の実施形態にて使用した指示部用導光体１０ａは省略されている。なお他の部分は前記第１の実施形態と同様である。
【００３５】
また、図示しないが、表示板６の可視領域を定める開口部を有する覆い部材と、表示板６や覆い部材などの前方側を被い光透過性を有する例えば暗色系の合成樹脂からなる上カバーと、回路基板１の裏面側を覆う合成樹脂製の下カバーなどを備えている。
【００３６】
このように構成された本実施形態によっても前記第１の実施形態と同様の効果を期待できる。
【符号の説明】
【００３７】
１    回路基板
２    回転筒
３    計器本体
４    指示部
５    指針
６    表示板
７    ケース体
１０ａ指示部用光源
１０ｂ指針キャップ用光源
１２ａ指示部用導光体
１２ｂ指針キャップ用導光体
１３  第１の受光部
１４  第２の受光部
２１  第１の反射面
２２  第２の反射面
２３  第３の反射面
５０  指針
５１  基部
５１ａ  入光部
５２  指針キャップ
５４  遮光部材
５５  透光部
５６  台座部材
Ｓ  回動軸
【図１】
0005561000.tif 000002
【図２】
0005561000.tif 000003
【図３】
0005561000.tif 000004